(57)【要約】      （修正有）【課題】着用したままでも飲食をより行いやすいマスクを提供する。【解決手段】マスク１は、マスク本体１０と耳掛け２０とを備える。マスク本体は、上部材１１及び下部材１２を有する。上部材の下部の裏面と下部材の上部の表面とが対向して重なるように配置されており、上部材と下部材とが重なる箇所の両側部にてそれぞれ接続部材を介し、上部材と下部材とが相対的に移動可能に接続されており、耳掛けは上部材の両側部に取り付けられている。着用者の下骸骨の動きに追従し、上部材に対して下部材が動くことにより、上部材と下部材とが離間してマスク本体が開閉可能に構成されている。【選択図】図１
0003233002.tif 000002
【実用新案登録請求の範囲】
【請求項１】
マスク本体と耳掛けとを備え、
前記マスク本体は、上部材及び下部材を有し、
前記上部材の下部の裏面と前記下部材の上部の表面とが対向して重なるように配置されており、
前記上部材と前記下部材とが重なる箇所の両側部にてそれぞれ接続部材を介し、前記上部材と前記下部材とが相対的に移動可能に接続されており、
前記耳掛けは前記上部材の両側部に取り付けられており、
着用者の下骸骨の動きに追従し、前記上部材に対して前記下部材が動くことにより、前記上部材と前記下部材とが離間して前記マスク本体が開閉可能に構成されている、
ことを特徴とするマスク。
【請求項２】
前記接続部材が伸縮可能な素材から構成されている、
ことを特徴とする請求項１に記載のマスク。
【請求項３】
前記上部材と前記下部材とが重なる箇所に、前記上部材と前記下部材とを固定する固定部材を備える、
ことを特徴とする請求項１又は２に記載のマスク。
【考案の詳細な説明】
【技術分野】
【０００１】
本考案は、マスクに関する。
【背景技術】
【０００２】
今日の新型コロナウイルス感染症の感染予防対策として、人の集まる場所をはじめ、外出時にマスクを着用することが浸透している。そして、会食中においても、会話する際はマスクを着用するマスク会食が勧められている。
【０００３】
しかし、飲食を行う度にマスクを外し、会話をする際には再度マスクを着用するという煩わしさから、会食中、マスクを外したままの状態や、マスクを引き下げて顎に掛けたままの状態で会話を行いがちである。このような状況に鑑みて、マスクを着用したままでも飲食が可能なマスクが種々提案されている（例えば、特許文献１〜４）。
【０００４】
特許文献１、２に開示のマスクでは、マスク本体部分は、上側部材と下側部材とを有しており、上側部材の下部と下側部材の上部とが重なるよう配置されている。飲食の際には、上側部材と下側部材との重複部分を開き、形成された開口部を通じて飲食物を口に運ぶことを可能としている。
【０００５】
また、特許文献３、４に開示のマスクでは、マスク本体部分は、口を露出可能な開口が設けられた内側部材と、内側部材を被覆する外側部材を備えており、外側部材が開閉可能な構造をしている。飲食の際には、一方の手で外側部材を上方向や横方向にめくることで、下層部材の開口が現れ、開口を通じて飲食物を口に運ぶことを可能としている。
【先行技術文献】
【特許文献】
【０００６】
【特許文献１】特開２００６−１９８３０５号公報
【特許文献２】登録実用新案第３２２９２８７号公報
【特許文献３】登録実用新案第３２３１０６２号公報
【特許文献４】登録実用新案第３２３０７６５号公報
【考案の概要】
【考案が解決しようとする課題】
【０００７】
特許文献１、２のマスクでは、飲食物を通す開口が小さく、飲食を行いやすいものとは言い難い。特許文献３、４のマスクについても、飲食物を口へ運ぶ度に片方の手で外側部材をめくり、その状態を保たなければならず、飲食を行いやすいものとは言い難い。
【０００８】
本考案は上記事項に鑑みてなされたものであり、その目的は、着用したままでも飲食をより行いやすいマスクを提供することにある。
【課題を解決するための手段】
【０００９】
本考案に係るマスクは、
マスク本体と耳掛けとを備え、
前記マスク本体は、上部材及び下部材を有し、
前記上部材の下部の裏面と前記下部材の上部の表面とが対向して重なるように配置されており、
前記上部材と前記下部材とが重なる箇所の両側部にてそれぞれ接続部材を介し、前記上部材と前記下部材とが相対的に移動可能に接続されており、
前記耳掛けは前記上部材の両側部に取り付けられており、
着用者の下骸骨の動きに追従し、前記上部材に対して前記下部材が動くことにより、前記上部材と前記下部材とが離間して前記マスク本体が開閉可能に構成されている、
ことを特徴とする。
【００１０】
また、前記接続部材が伸縮可能な素材から構成されていることが好ましい。
【００１１】
また、前記上部材と前記下部材とが重なる箇所に、前記上部材と前記下部材とを固定する固定部材を備えていてもよい。
【考案の効果】
【００１２】
本考案によれば、着用したままでも飲食をより行いやすいマスクを提供できる。
【図面の簡単な説明】
【００１３】
【図１】マスクの外観を示す斜視図である。
【図２】図１においてＡ方向に見たマスクの側面図である。
【図３】図１においてマスクの内側からＢ−Ｂ’方向に見た図であり、図３（Ａ）は接続部材が収縮して上部材と下部材が重なっている状態を示す図、図３（Ｂ）は接続部材が伸張して上部材と下部材とが離間した状態を示す図である。
【図４】マスクを着用した状態を示す図であり、図４（Ａ）が口を閉じた状態を示す図、図４（Ｂ）が口を開いた状態を示す図である。
【図５】マスクをアイマスクとして利用している状態を示す図である。
【考案を実施するための形態】
【００１４】
本実施の形態に係るマスクは、図１、図２に示すように、マスク本体１０と耳掛け２０を備える。なお、本明細書において、マスク１の着用時に外側に露出する側を「表側」、「表面」、顔と向き合う側を「裏側」、「裏面」、左右の端を「側部」と記す。
【００１５】
マスク本体１０は、上部材１１、下部材１２を有している。上部材１１は、顔の左右方向に延伸し、マスク１を着用した際に鼻から上唇の辺りまでを覆う部材である。一方の下部材１２は、顔の左右方向に延伸しており、マスク１を着用した際に下唇辺りから顎までを覆う部材である。
【００１６】
上部材１１は立体的に形成されており、上部材１１の中央線部分は、表側に突出しており着用者の鼻にフィットしてずれにくいように形成されている。また、下部材１２も立体的に形成されており、下部材１２の中央線部分は、表側に突出し、着用者の顎にフィットしてずれにくいように形成されている。
【００１７】
上部材１１と下部材１２とは、一部が重なるよう配置されている。具体的には、図２に示すように、上部材１１の下部の裏面と下部材１２の上部の表面とが対向して重なるように配置されている。上部材１１と下部材１２との重ね合わせ部分の幅（図２に示すｈ）は、１０ｍｍ以上であることが好ましい。
【００１８】
上部材１１と下部材１２とは、上部材１１と下部材１２との重ね合わせ部分の両側部において、上部材１１と下部材１２とが相対的に移動可能なように接続部材１３を介して接続されている。これにより、それぞれ独立した部材である上部材１１と下部材１２とが分離しないようになっている。
【００１９】
接続部材１３については、上記機能を発揮し得るならば、どのような部材でもよいが、図３（Ａ）、図３（Ｂ）に示すように、伸縮可能な素材から構成されていることが好ましい。例えば、天然ゴムや合成ゴムを利用した平板状のゴム紐などが挙げられる。
【００２０】
接続部材１３の一方の端部が上部材１１の側部に固定され、他方の端部が下部材１２の側部の上方に固定されている。また、上部材１１と接続部材１３との固定位置は、マスク１を装着したとき、着用者の顎関節の周辺であることが好ましい。また、接続部材１３と上部材１１との固定箇所は、上部材１１の側部が折り返される部分など、上部材１１によって被覆されていることが好ましい。接続部材１３が外部から視認されず、マスク１の美観を損なうことが抑えられる。
【００２１】
伸縮可能な接続部材１３を介して上部材１１と下部材１２とが接続されていることにより、図３（Ａ）、（Ｂ）に示すように、上部材１１と下部材１２とは相対的な移動が実現され、上部材１１と下部材１２が離間し、マスク本体１０が開口する。
【００２２】
耳掛け２０は、着用者の耳に掛けられ、マスク本体１０を着用者の顔に固定する役割を果たす。耳掛け２０にはループ状の伸縮可能な紐が用いられている。耳掛け２０は、上部材１１の側部にそれぞれ取り付けられている。
【００２３】
続いて、マスク１の使用状態について説明する。図４（Ａ）に、着用者がマスク１を着用し、口を閉じた状態を示している。口を閉じた状態では、上部材１１の下部の裏側に下部材１２の上部が入り込み、マスク本体１０は閉口した状態である。
【００２４】
着用者が口を開いた状態では、図４（Ｂ）に示すように、上部材１１に対して下部材１２が移動し、上部材１１と下部材１２が離間してマスク本体１０が開口している。人が食べるときやしゃべるときなどの口の開閉動作においては、頭蓋骨中、下顎骨が動くことになるが下顎骨が動くと、その動きに追従して下部材１２が動き、マスク本体１０が開口する。
【００２５】
マスク１では、上部材１１と下部材１２とがそれぞれ独立した部材であること、上部材１１と下部材１２とが伸縮可能な接続部材１３で接続されていること、耳掛け２０が上部材１１にのみ取り付けられていること、そして、上部材１１、下部材１２がそれぞれ立体的に形成され、それぞれ鼻、顎にフィットして固定されることから、口を大きく開くときでも、その下顎骨の動きに下部材１２が追従してスムーズに動き、上部材１１と下部材１２とが大きく離間してマスク本体１０の開口を大きくすることができる。
【００２６】
このように、口の開閉動作に応じて下部材１２が動くとともに、マスク本体１に大きな開口が形成されることから、着用者はマスク１を着用した状態においても、飲食を行いやすい。このため、マスク１では、通常のマスクのように、会食中において飲食を行う度に取り外したり、下方にずらしたりする必要がなく、また、両手が自由に使える状態であるので、奨励されているマスク会食に有用である。そのほか、喫煙や合唱、授乳等、通常のマスクでは外さなければならない種々の状況での使用に有用である。
【００２７】
なお、上部材１１及び下部材１２の材料としては、広くマスクに利用されている材料、例えば、布やガーゼ、不織布などが用いられるが、マスク本体１０の開閉動作の際、特に閉口の際に上部材１１の下部の裏側に下部材１２の上部が入り込みやすいよう、腰のある材料であることが好ましい。
【００２８】
また、上部材１１、下部材１２のサイズや、鼻や顎部分の立体的形状については、大人男性用、大人女性用、子供用、幼児用など適宜設定され得る。
【００２９】
また、上部材１１と下部材１２との重ね合わせ部分については、固定部材が取り付けられていてもよい。マスク本体１０の開閉を行わない状況においては、固定部材が設置されていることによって、口を開いてもマスク本体１０が開口しないようにすることができる。固定部材として、上部材１１と下部材１２とを固定可能な部材であればよく、例えば、スナップボタン、ホック、面ファスナーなどが挙げられる。固定部材は、例えば、上部材１１と下部材１２との重ね合わせ部分の中央付近に一つ配置されたり、重ね合わせ部分の左右方向に沿って複数個配置されていたりしてもよい。
【００３０】
また、マスク１は、上部材１１及び下部材１２は独立した部材であること、新調可能な接続部材１３で接続されていることから、上部材１１の裏側に下部材１２を収めることが可能である。このようにすることで、図５に示すように、マスク１をアイマスクとして利用することも可能である。
【符号の説明】
【００３１】
１    マスク
１０    マスク本体
１１    上部材
１２    下部材
１３    接続部材
２０    耳掛け
【図１】
0003233002.tif 000003
【図２】
0003233002.tif 000004
【図３】
0003233002.tif 000005
【図４】
0003233002.tif 000006
【図５】
0003233002.tif 000007